(57)【特許請求の範囲】
【請求項１】
複数のコンタクトと、前記コンタクトを保持するインシュレータとから構成され、平行な接続対象物間を接続するコネクタにおいて、
前記各コンタクトは、対称形に構成され、中間部と、前記中間部の両側にそれぞれ連続する第１のばね部及び第２のばね部と、前記第１のばね部及び前記第２のばね部にそれぞれ形成された第１の接点部及び第２の接点部と、前記中間部に前記接続対象物間の接続方向に直交する方向に形成された圧入部とを有し、
前記各コンタクトの圧入部を前記インシュレータの本体部と前記本体部の両側面に突出形成される複数の保持部の内の１つに圧入することにより、前記各コンタクトを前記インシュレータの本体部の両側面に対向するように交互に配設し、
前記インシュレータの本体部の一側面に配設した前記各コンタクトの圧入部が圧入される前記インシュレータの各保持部を前記インシュレータの本体部の他側面に配設した前記各コンタクトの中間部が取り囲むことを特徴とするコネクタ。
【請求項２】
前記インシュレータの両側面に交互に配設された前記各コンタクトを、前記接続方向に直交する方向に隣接するように配設したことを特徴とする請求項１記載のコネクタ。
【発明の詳細な説明】
【０００１】
【発明の属する技術分野】
本発明は、平行な接続対象物間を接続するコネクタ、特に、狭いピッチで薄型のコネクタに関する。
【０００２】
【従来の技術】
まず、特開平７−３０７１８８号公報に記載された従来の第１のコネクタの要点について図８を参照して説明する。
【０００３】
インシュレータ５１の凹所５１Ａ，５１Ａ内には、それぞれコンタクト５２，５２が対称的に収容保持されている。図示されていないが、多数のコンタクト５２，５２が紙面と直交する方向に配設されている。コンタクト５２は、コ字状部５２Ａと、コ字状部５２Ａの両側に形成された略Ｕ字状部５２Ｂ，５２Ｃとから一体に構成される。略Ｕ字状部５２Ｂ，５２Ｃは、弾性変形をすることができ、略Ｕ字状部５２Ｂ，５２Ｃの自由端の付近に湾曲接点部５２Ｄ，５２Ｅが形成されている。湾曲接点部５２Ｄ，５２Ｅは、コンタクト５２に負荷がかかっていないときには、インシュレータ５１の上面又は下面からそれぞれ突出している。
【０００４】
インシュレータ５１の上下両面が、プリント配線基板６１，６２により挟持されると、プリント配線基板６１のパッド６１Ａ，６１Ａは、湾曲接点部５２Ｄ，５２Ｄを押圧し、また、プリント配線基板６２のパッド６２Ａ，６２Ａは、湾曲接点部５２Ｅ，５２Ｅを押圧する。したがって、プリント配線基板６１，６２は、接続する。
【０００５】
次に、特開平１０−５０４３２号公報に記載された従来の第２のコネクタの要点について図９を参照して説明する。
【０００６】
インシュレータ７１には、多数のコンタクト７２が１個毎に表裏を逆に替えて紙面に直交する方向に保持されている。コンタクト７２は、中央部７２Ａと、中央部７２Ａに連続するばね部７２Ｂ，７２Ｃと、ばね部７２Ｂ，７２Ｃの先端に形成された湾曲接点部７２Ｄ，７２Ｅと、中央部７２Ａから突出形成された連結部７２Ｆと、連結部７２Ｆに連続する略Ｌ字状の圧入部７２Ｇとから略Ｅ字状に一体に形成されている。コンタクト７２の圧入部７２Ｇが、インシュレータ７１の一対の保持部７１Ａ，７１Ａの間のスリット７１Ｂに圧入されることにより、コンタクト７２は、インシュレータ７１に固定される。湾曲接点部７２Ｄ，７２Ｅは、コンタクト７２に負荷がかかっていないときは、インシュレータ７１の上面又は下面からそれぞれ突出している。
【０００７】
インシュレータ７１の上下両面が、２枚のプリント配線基板（図示せず）により挟持されると、各プリント配線基板のパッドは、湾曲接点部７２Ｄ，７２Ｅを押圧する。したがって、２枚のプリント配線基板は、接続する。
【０００８】
【発明が解決しようとする課題】
従来の第１のコネクタには、コンタクトがコ字状部とその両側に形成された略Ｕ字状部を有するから、厚さ方向（図８における上下方向）のサイズが大きくなるという欠点が生じる。
【０００９】
従来の第２のコネクタには、コンタクトの圧入部がインシュレータの一対の保持部の間のスリットに圧入されるので、幅方向（図９（ａ）における左右方向）のサイズが大きくなるという欠点が生じる。
【００１０】
そこで、本発明は、前記従来の両コネクタの欠点を改良し、狭ピッチで薄型のコネクタを提供しようとするものである。
【００１１】
【課題を解決するための手段】
本発明は、前記課題を解決するため、次の手段を採用する。
【００１２】
１．複数のコンタクトと、前記コンタクトを保持するインシュレータとから構成され、平行な接続対象物間を接続するコネクタにおいて、前記各コンタクトは、対称形に構成され、中間部と、前記中間部の両側にそれぞれ連続する第１のばね部及び第２のばね部と、前記第１のばね部及び前記第２のばね部にそれぞれ形成された第１の接点部及び第２の接点部と、前記中間部に前記接続対象物間の接続方向に直交する方向に形成された圧入部とを有し、前記各コンタクトの圧入部を前記インシュレータの本体部と前記本体部の両側面に突出形成される複数の保持部の内の１つに圧入することにより、前記各コンタクトを前記インシュレータの本体部の両側面に対向するように交互に配設し、前記インシュレータの本体部の一側面に配設した前記各コンタクトの圧入部が圧入される前記インシュレータの各保持部を前記インシュレータの本体部の他側面に配設した前記各コンタクトの中間部が取り囲むコネクタ。
【００１３】
２．前記インシュレータの両側面に交互に配設された前記各コンタクトを、前記接続方向に直交する方向に隣接するように配設した前記１記載のコネクタ。
【００１５】
【発明の実施の形態】
本発明の２つの実施の形態例のコネクタについて説明する。
【００１６】
まず、第１実施の形態例のコネクタについて図１〜図６を参照して説明する。図１は正面図、図２は側面図、図３は平面図、図４は図１における線Ａ−Ａによる拡大断面図、図５はコンタクトをインシュレータに圧入する前の状態の拡大斜視図、図６（ａ）〜（ｃ）はインシュレータの諸図を、それぞれ示す。
【００１７】
コネクタ１は、図１と図３に示されるように、１４個のコンタクト１０と、各コンタクト１０を保持するインシュレータ２０とから構成される。コンタクト１０は、図５に示されるように、中央に略長方形状部を有するＷ字状に構成されている。具体的に説明すると、コンタクト１０は、中央の略長方形状中間部１１と、略長方形状中間部１１の中心から突出して形成された圧入部１２と、略長方形状中間部１１に連続する略Ｕ字状部１３，１４と、略Ｕ字状部１３，１４に連続する第１及び第２の直線状ばね部１５，１６と、第１及び第２の直線状ばね部１５，１６の先端に形成された第１及び第２の湾曲接点部１７，１８とから一体に構成されている。
【００１８】
インシュレータ２０には、図６に示されるように、長さ方向に延在する本体部２１の表裏両側に７対の保持部２２が、それぞれ一定間隔で突出形成されている。
【００１９】
コンタクト１０のインシュレータ２０への固定構造について説明する。図４と図５に示されるように、コンタクト１０の圧入部１２を、左側からインシュレータ２０の本体部２１と保持部２２に貫通して設けられた孔２３に圧入する。圧入部１２は、本体部２１（Ａの範囲）においては、四方からガイドされ（断面図のため図示されていないが、実際には左手前側にも本体部２１の肉が存在する。）、保持部２２（Ｂの範囲）においては、三方からガイドされる（左手前側には保持部２２の肉が存在しない。）。コンタクト１０の略長方形状中間部１１は、保持部２２の周面を取り囲む。このようにして、コンタクト１０は、インシュレータ２０に固定される。続いて、本体部２１を挟んでこのコンタクト１０と対向するように、他のコンタクト１０を左右反転して隣接する保持部２２に同様に装着する。以下反復して７対１４個のコンタクト１０をインシュレータ２０に固定する。この状態では、各コンタクト１０の第１及び第２の湾曲接点部１７，１８は、図１、図２及び図４に示されるように、インシュレータ２０の上下両面から突出している。
【００２０】
コネクタ１の上下両面を液晶表示器３０とプリント回路基板３２により挟持すると、液晶表示器３０のパッド３１はコンタクト１０の第１の湾曲接点部１７を押圧し、プリント回路基板３２のパッド３３はコンタクト１０の第２の湾曲接点部１８を押圧する。したがって、液晶表示器３０は、プリント回路基板３２と接続する。
【００２１】
次に、第２実施の形態例のコネクタについて図７を参照して説明する。第２実施の形態例については、第１実施の形態例と同様な点についての説明を省略し、相違する点について説明する。
【００２２】
コネクタ２は、複数のコンタクト４０と、各コンタクト４０を保持するインシュレータ２０とから構成される。コンタクト４０は、長辺を欠如する台形状に構成されている。具体的に説明すると、コンタクト４０は、中間部４１と、中間部４１の中心から突出して形成された圧入部４２と、中間部４１に連続する第１及び第２のばね部４３，４４と、第１及び第２のばね部４３，４４の先端に形成された第１及び第２の湾曲接点部４５，４６とから一体に構成されている。
【００２３】
インシュレータ２０には、長さ方向（左右方向）に延在する本体部２１の表裏両側に保持部２２が、それぞれ一定間隔で突出形成されている。本体部２１と保持部２２を貫通して孔２３が設けられ、コンタクト４０の圧入部４２を孔２３に圧入する。このとき、圧入部４２は、孔２３の四方からガイドされる。
【００２４】
【発明の効果】
以上の説明から明らかなように、本発明によれば、次の効果を奏することができる。
【００２５】
１．コンタクトの第１及び第２のばね部は、接続方向及びピッチ方向へ弾性変形するので、コネクタの厚さが薄く構成される。
【００２６】
２．複数のコンタクトがインシュレータの両側面に干渉しないように交互に配設されるため、コンタクトのピッチを小さくできる。
【００２７】
３．複数のコンタクトがインシュレータの両側面に干渉しないように交互に配設されるから、コンタクトの保持部をインシュレータの反対面まで構成できるので、コンタクトは確実に保持される。
【００２８】
４．コンタクトの圧入部はインシュレータに圧入されるので、コンタクトの着脱が簡便である。
【００２９】
５．コンタクトの中間部がインシュレータの保持部を取り囲むので、コンタクトは安定して保持される。
【図面の簡単な説明】
【図１】本発明の第１実施の形態例のコネクタの正面図である。
【図２】同コネクタの側面図である。
【図３】同コネクタの平面図である。
【図４】図１における線Ａ−Ａによる拡大断面図である。
【図５】同コネクタにおけるコンタクトをインシュレータに圧入する前の状態の拡大斜視図である。
【図６】同コネクタにおけるインシュレータの諸図であり、（ａ）は平面図、（ｂ）は正面図、（ｃ）は側面から見た断面図を、それぞれ示す。
【図７】本発明の第２実施の形態例のコネクタの要部の正面図である。
【図８】従来の第１のコネクタの断面図である。
【図９】従来の第２のコネクタであり、（ａ）は断面図、（ｂ）はコンタクトの斜視図を、それぞれ示す。
【符号の説明】
１    コネクタ
２    コネクタ
１０    コンタクト
１１    略長方形状中間部
１２    圧入部
１３    略Ｕ字状部
１４    略Ｕ字状部
１５    第１の直線状ばね部
１６    第２の直線状ばね部
１７    第１の湾曲接点部
１８    第２の湾曲接点部
２０    インシュレータ
２１    本体部
２２    保持部
２３    孔
４０    コンタクト
４１    中間部
４２    圧入部
４３    第１のばね部
４４    第２のばね部
４５    第１の湾曲接点部
４６    第２の湾曲接点部
【図１】
0003824258.tif 000002
【図２】
0003824258.tif 000003
【図３】
0003824258.tif 000004
【図４】
0003824258.tif 000005
【図５】
0003824258.tif 000006
【図６】
0003824258.tif 000007
【図７】
0003824258.tif 000008
【図８】
0003824258.tif 000009
【図９】
0003824258.tif 000010